(57)【要約】【課題】巻線絶縁部材の挿入作業性および保持性を向上させることができる技術を提供する。【解決手段】巻線絶縁部材３１０は、第１方向（Ｂ方向）一方側および他方側に、第２方向（Ａ方向）に沿って延在する第１縁部３１１および３１２と、第２方向に沿って一方側および他方側に、第１方向に沿って延在する第３縁部３１３および第４縁部３１４により形成される絶縁フィルム３２０を折り曲げて構成され、第１〜第４分割部分３１０Ａ〜３１０Ｄを有している。第３縁部３１３は、第１端部分３１３ａ、第１傾斜部分３１３ｂ、第１中央部分３１３ｃ（３１３ｃ１と３１３ｃ２）、第２傾斜部分３１３ｄおよび第２端部分３１３ｅを有している。第４縁部３１４は、第３端部分３１４ａ、第３傾斜部分３１４ｂ、第２中央部分３１４ｃ（３１４ｃ１と３１４ｃ２）、第４傾斜部分３１４ｄおよび第４端部分３１３ｅを有している。【選択図】図１２
2019180170.tif 000002
【特許請求の範囲】
【請求項１】
固定子に用いられる巻線絶縁部材であって、
第１方向に沿って一方側および他方側に形成され、前記第１方向と交差する第２方向に沿って延在する第１縁部および第２縁部と、前記第２方向に沿って一方側および他方側に形成され、前記第１方向に沿って延在する第３縁部および第４縁部を有し、
前記第３縁部は、前記第１方向に沿った中央に形成されている第１中央部分と、前記第１中央部分より前記第１方向に沿って前記一方側および前記他方側に形成されている第１端部分および第２端部分と、前記第１中央部分と前記第１端部分の間に形成されている第１傾斜部分と、前記第１中央部分と前記第２端部分の間に形成されている第２傾斜部分を有し、
前記第１傾斜部分は、前記第１中央部分側の端部が、前記第１端部分側の端部より前記第２方向に沿って前記一方側に配置されるように傾斜し、
前記第２傾斜部分は、前記第１中央部分側の端部が、前記第２端部分側の端部より前記第２方向に沿って前記一方側に配置されるように傾斜していることを特徴とする巻線絶縁部材。
【請求項２】
請求項１に記載の巻線絶縁部材であって、
前記第４縁部は、前記第１方向に沿った中央に形成されている第２中央部分と、前記第２中央部分より前記第１方向に沿って前記一方側および前記他方側に形成されている第３端部分および第４端部分と、前記第２中央部分と前記第３端部分の間に形成されている第３傾斜部分と、前記第２中央部分と前記第４端部分の間に形成されている第４傾斜部分を有し、
前記第３傾斜部分は、前記第２中央部分側の端部が、前記第３端部分側の端部より前記第２方向に沿って前記一方側に配置されるように傾斜し、
前記第４傾斜部分は、前記第２中央部分側の端部が、前記第４端部分側の端部より前記第２方向に沿って前記一方側に配置されるように傾斜していることを特徴とする巻線絶縁部材。
【請求項３】
請求項１に記載の巻線絶縁部材であって、
前記第４縁部は、前記第１方向に沿った中央に形成されている第２中央部分と、前記第２中央部分より前記第１方向に沿って前記一方側および前記他方側に形成されている第３端部分および第４端部分と、前記第２中央部分と前記第３端部分の間に形成されている第３傾斜部分と、前記第２中央部分と前記第４端部分の間に形成されている第４傾斜部分を有し、
前記第３傾斜部分は、前記第２中央部分側の端部が、前記第３端部分側の端部より前記第２方向に沿って前記他方側に配置されるように傾斜し、
前記第４傾斜部分は、前記第２中央部分側の端部が、前記第４端部分側の端部より前記第２方向に沿って前記他方側に配置されるように傾斜していることを特徴とする巻線絶縁部材。
【請求項４】
請求項１〜３のうちのいずれか一項に記載の巻線絶縁部材であって、
前記第１傾斜部分と前記第１中央部分との接続部を通り、前記第２方向に沿って延在する第１折り曲げ部、前記第１中央部分の所定箇所を通り、前記第２方向に沿って延在する第２折り曲げ部および前記第１中央部分と前記第２傾斜部との接続部を通り、前記第２方向に沿って延在する第３折り曲げ部によって、前記第１縁部と前記第１折り曲げ部により規定される第１分割部分、前記第１折り曲げ部と前記第２折り曲げ部により規定される第２分割部分、前記第２折り曲げ部と前記第３折り曲げ部により規定される第３分割部分および前記第３折り曲げ部と前記第２縁部により規定される第４分割部分に分割され、
前記第２分割部分と前記第３分割部分は、前記第２折り曲げ部に沿ってＶ字状に折り曲げられ、前記第１分割部分は、前記第１折り曲げ部に沿って、前記Ｖ字状の開口部と反対側に折り曲げられ、前記第４分割部分は、前記第３折り曲げ部に沿って、前記Ｖ字状の開口部と反対側に折り曲げられていることを特徴とする巻線絶縁部材。
【請求項５】
固定子コアと、絶縁体と、固定子巻線と、巻線絶縁部材とを備える固定子であって、
前記巻線絶縁部材として請求項１〜４のうちのいずれか一項に記載の巻線絶縁部材が用いられていることを特徴とする固定子。
【請求項６】
請求項５に記載の固定子であって、
前記固定子コアは、軸方向に直角な断面で見て、周方向に沿って延在するヨークと、前記ヨークから径方向内周側に延在する複数のティースとを有し、前記各ティースは、前記ヨークから径方向内周側に延在するティース基部と、前記ティース基部の径方向内周側に設けられ、周方向に沿って延在するティース先端部とを有し、
前記絶縁体は、前記ティースに装着され、
前記固定子巻線は、前記ティースに装着された前記絶縁体に巻き付けられ、
前記巻線絶縁部材は、前記絶縁体と前記ヨークとの間に配置されることを特徴とする固定子。
【請求項７】
請求項６に記載の固定子であって、
前記固定子コアは、前記複数のティースを有する第１コア部材と、前記ヨークを有する第２コア材により構成されていることを特徴とする固定子。
【請求項８】
固定子と、前記固定子に対して相対的に回転可能な回転子を備える電動機であって、
前記固定子として請求項５〜７のうちのいずれか一項に記載の固定子が用いられていることを特徴とする電動機。
【発明の詳細な説明】
【技術分野】
【０００１】
本発明は、固定子コアのティースに巻き付けられる固定子巻線と固定子コアを絶縁する巻線絶縁部材に関する。
【背景技術】
【０００２】
圧縮機駆動電動機、車両駆動電動機、車載機器駆動電動機等として、固定子と回転子を備え、固定子を構成する固定子コアのティースに固定子巻線が集中巻き方式で巻き付けられている電動機（「集中巻き電動機」と呼ばれている）が用いられている。集中巻き電動機では、固定子巻線は、絶縁体（「樹脂ボビン」と呼ばれている）を介してティースに巻き付けられる。
また、このような集中巻き電動機において、固定子巻線の巻数を増加させて固定子巻線の占積率を高めるために、複数の分割コアにより構成される固定子コア（「分割構造の固定子コア」と呼ばれている）を用いた電動機が提案されている。
分割構造の固定子コアを用いた電動機は、例えば、特許文献１（特開平６−２２５４９０号公報）に開示されている。特許文献１に開示されている電動機では、固定子コアは、ティースを有する第１コア部材と、ヨークを有する第２コア部材により構成されている。固定子コアは、固定子巻線が巻き付けられた絶縁体を第１コア部材の各ティースに装着した状態で、第１コア部材と第２コア部材を組み付けることにより形成される。また、特許文献１に開示されている電動機は、絶縁体に巻き付けられている固定子巻線が固定子コアのヨークと接触するのを防止するための巻線絶縁部材を有している。特許文献１に開示されている巻線絶縁部材は、板状に形成され、絶縁体の張出部とヨークとの間の空間内に挿入される。巻線絶縁部材は、挿入方向先端側の両側面に、挿入作業性を向上させるための傾斜部が形成されている。また、絶縁体の張出部には、巻線絶縁部材を空間内に保持するために、巻線絶縁部材の傾斜部を弾性力によって保持する傾斜部が設けられている。
また、特許文献２（特開２００２−２３３０９２号公報）には、第１絶縁部および第２絶縁部と第１保持部および第２保持部を有しているとともに、Ｔ字状に折り曲げられている巻線絶縁部材が開示されている。巻線絶縁部材の第１保持部および第２保持部は、固定子巻線と固定子のヨークとの間の空間内に挿入される。巻線絶縁部材の第１保持部および第２保持部の、挿入方向先端側の両側面には、挿入作業性を向上させるための傾斜部が形成されている。
【先行技術文献】
【特許文献】
【０００３】
【特許文献１】特開平６−２２５４９０号公報
【特許文献２】特開２００２−２３３０９２号公報
【発明の概要】
【発明が解決しようとする課題】
【０００４】
特許文献１および特許文献２に開示されている固定子では、巻線絶縁部材の、挿入方向先端側の両側面に傾斜部が形成されている。これにより、巻線絶縁部材の挿入作業性を向上させることができる。しかしながら、このような形状の巻線絶縁部材を用いる場合には、巻線絶縁部材を保持する保持機構として、特許文献１に開示されているような、巻線絶縁部材の、挿入方向先端側の両側面に形成されている傾斜部を弾性力によって保持する保持機構が用いられる。この場合、巻線絶縁部材を安定して保持することが困難である。
本発明は、このような点に鑑みて創案されたものであり、巻線絶縁部材の挿入作業性及び保持性を向上させることができる技術を提供することを目的とする。
【課題を解決するための手段】
【０００５】
第１発明は、巻線絶縁部材に関する。
本発明の巻線絶縁部材は、好適には、ティースに装着される絶縁体に巻き付けられている固定子巻線と固定子コアのヨークを絶縁する際に用いられるが、これ以外の種々の使用態様が可能である。
本発明の巻線絶縁部材は、第１方向に沿って一方側および他方側に形成され、第１方向と交差する第２方向に沿って延在する第１縁部および第２縁部と、第２方向に沿って一方側および他方側に形成され、第１方向に沿って延在する第３縁部および第４縁部を有している。典型的には、第２方向は、第１方向と直角（「略直角」を含む）な方向に延在する。なお、第１方向一方側と他方側、第２方向一方側と他方側は、適宜規定される。また、典型的には、巻線絶縁部材が固定子に装着された状態において、第１方向は、固定子の軸方向に沿って延在し、第２方向は、固定子の周方向に沿って延在する。
第３縁部は、第１縁部から第２縁部の方向に、第１端部分、第１傾斜部分、第１中央部分、第２傾斜部分、第２端部分を有している。第１傾斜部分は、第１中央部分側の端部が、第１端部分側の端部より第２方向一方側に配置されるように傾斜している。また、第２傾斜部分は、第１中央部分側の端部が、第２端部分側の端部より第２方向一方側に配置されるように傾斜している。典型的には、第１端部分、第１中央部分および第２端部分は、第１方向に平行（「略平行」を含む）に延在するように形成される。第１傾斜部分および第２傾斜部分は、１つあるいは複数の傾斜部によって構成することができる。第１傾斜部分を複数の傾斜部によって構成する場合には、「第１傾斜部分の、第１中央部分側の端部」は、「第１方向に沿って最も他方側に形成されている傾斜部の、第１中央部側の端部」を示し、「第１傾斜部分の、第１端部分側の端部」は、「第１方向に沿って最も一方側に形成されている傾斜部の、第１端部分側の端部」を示す。また、第２傾斜部分を複数の傾斜部によって構成する場合には、「第２傾斜部分の、第１中央部分側の端部」は、「第１方向に沿って最も一方側に形成されている傾斜部の、第１中央部側の端部」を示し、「第２傾斜部分の、第２端部分側の端部」は、「第１方向に沿って最も他方側に形成されている傾斜部の、第２端部分側の端部」を示す。
巻線絶縁部材は、好適には、絶縁特性を有する樹脂により形成された板状の絶縁フィルムにより構成され、あるいは、板状の絶縁フィルムを折り曲げて構成される。折り曲げた絶縁フィルムにより巻線絶縁部材を構成する場合には、第１端部分と第１傾斜部分が同じ折り曲げ片（分割部分）に含まれ、また、第２傾斜部分と第２端部分が同じ折り曲げ片（分割部分）に含まれるように設定される。
本発明の巻線絶縁部材は、第３縁部の、第１方向一方側に第１傾斜部分が形成され、第１方向他方側に第２傾斜部分が形成されている。これにより、巻線絶縁部材を容易に挿入することができる。また、第３縁部の、第１傾斜部分より第１方向一方側に第１端部分が形成され、第２傾斜部分より第１方向他方側に第２端部分が形成されている。これにより、巻線絶縁部材の周方向および軸方向の位置を確実に規制することができる。
第１発明の他の形態では、第４縁部は、第１縁部から第２縁部の方向に、第３端部分、第３傾斜部分、第２中央部分、第４傾斜部分、第４端部分を有している。第３傾斜部分は、第２中央部分側の端部が、第３端部分側の端部より第２方向一方側に配置されるように傾斜している。また、第４傾斜部分は、第２中央部分との接続部が、第４端部分との接続部より第２方向一方側に配置されるように傾斜している。
本形態の巻線絶縁部材は、第４縁部の、第２傾斜部分より第１方向一方側に第３端部分が形成され、第４傾斜部分より第１方向他方側に第４端部分が形成されている。これにより、巻線絶縁部材の周方向および軸方向の位置をより確実に規制することができる。また、絶縁シートを切断して巻線絶縁部材を形成する際における材料ロスを低減することができる。
第１発明の他の形態では、第４縁部は、第１縁部から第２縁部の方向に、第３端部分、第３傾斜部分、第２中央部分、第４傾斜部分、第４端部分を有している。第３傾斜部分は、第２中央部分側の端部が、第３端部分側の端部より第２方向他方側に配置されるように傾斜している。また、第４傾斜部分は、第２中央部分側の端部が、第４端部分側の端部より第２方向他方側に配置されるように傾斜している。
本形態の巻線絶縁部材では、第４縁部の、第３傾斜部分より第１方向一方側に第３端部分が形成され、第４傾斜部分より第１方向他方側に第４端部分が形成されている。これにより、巻線絶縁部材の周方向および軸方向の位置をより確実に規制することができる。また、巻線絶縁部材を、第３縁部側および第４縁部側から挿入することができるため、挿入作業性をより向上させることができる。
第１発明の他の形態では、第２方向に沿って延在する第１〜第３折り曲げ部によって、第１縁部と第１折り曲げ部により規定される第１分割部分、第１折り曲げ部と第２折り曲げ部により規定される第２分割部分、第２折り曲げ部と第３折り曲げ部により規定される第３分割部分および第３折り曲げ部と第２縁部により規定される第４分割部分に分割されている。第１折り曲げ部は、第１傾斜部と第１中央部分との接続部を通るように設定され、第２折り曲げ部は、第１中央部分の所定箇所、好適には、第１中央部分の中央を通るように設定され、第３折り曲げ部は、第１中央部分と第２傾斜部との接続部を通るように設定される。
そして、第１〜第４分割部分は、第１〜第３折り曲げ部に沿って折り曲げられている。本形態では、第２分割部分と第３分割部分は、第２折り曲げ部に沿ってＶ字状に折り曲げられている。また、第１分割部分は、第１折り曲げ部に沿って、Ｖ字状の開口部と反対側に折り曲げられ、第４分割部分は、第３折り曲げ部に沿って、Ｖ字状の開口部と反対側に折り曲げられている。
本形態では、巻線絶縁部材によって、固定子巻線と固定子コアを絶縁することができるとともに、隣接する固定子巻線を絶縁することができる。
【０００６】
第２発明は、固定子に関する。本発明の固定子は、固定子コアと、絶縁体と、固定子巻線と、巻線絶縁部材とを備えている。そして、巻線絶縁部材として前述した巻線絶縁部材のいずれかが用いられている。
本発明の固定子では、巻線絶縁部材を容易に挿入することができるとともに、巻線絶縁部材の周方向および軸方向の位置を確実に規制することができる。
第２発明の他の形態では、固定子コアは、軸方向に直角な断面で見て、周方向に沿って延在するヨークと、ヨークから径方向内周側に延在する複数のティースとを有している。各ティースは、ヨークから径方向内周側に延在するティース基部と、ティース基部の径方向内周側に設けられ、周方向に沿って延在するティース先端部とを有している。
絶縁体は、固定子巻線が巻き付けられた状態でティースに装着される。そして、巻線絶縁部材は、絶縁体と固定子コアのヨークとの間に配置されている。
本形態では、ティースに装着された絶縁体に巻き付けられている固定子巻線と固定子コアのヨークの間に巻線絶縁部材を容易に挿入することができるとともに、巻線絶縁部材の周方向および軸方向に沿った位置を確実に規制することができる。
第２発明の他の形態では、固定子コアは、複数のティースを有する第１コア部材と、ヨークを有する第２コア材により構成されている。
本形態では、分割構造の固定子コアを有する固定子における巻線絶縁部材の挿入作業性および保持性を向上させることができる。
【０００７】
第３発明は、電動機に関する。本発明の電動機は、固定子と、固定子に対して相対的に回転可能な回転子を備えている。そして、固定子として前述した固定子のいずれかが用いられている。
本発明の電動機では、巻線絶縁部材を容易に挿入することができるとともに、巻線絶縁部材の周方向および軸方向の位置を確実に規制することができる。
【発明の効果】
【０００８】
本発明の、巻線絶縁部材、固定子および電動機では、巻線絶縁部材の挿入作業性を向上させることができるとともに、巻線絶縁部材の保持性を向上させることができる。
【図面の簡単な説明】
【０００９】
【図１】本発明の固定子の第１実施形態の斜視図である。
【図２】固定子の第１実施形態を構成する固定子コアの概略構成を示す図である。
【図３】本発明の絶縁体の第１実施形態の斜視図である。
【図４】図３を矢印ＩＶの方向から見た図である。
【図５】図３を矢印Ｖの方向から見た図である。
【図６】図３を矢印ＶＩの方向から見た図である。
【図７】図３のＶＩＩ−ＶＩＩ線から見た図である。
【図８】絶縁体をティースに装着する動作を説明する図である。
【図９】絶縁フィルムの第１実施形態の斜視図である。
【図１０】絶縁フィルムの第１実施形態の展開図である。
【図１１】絶縁フィルムの第１実施形態の製造方法の一例を示す図である。
【図１２】絶縁フィルムの第１実施形態を第１実施形態の絶縁体を用いて取り付けた状態を示す図である。
【図１３】絶縁体の第１実施形態に絶縁フィルムの第１実施形態が保持されている状態を示す図である。
【図１４】絶縁フィルムの第２実施形態の斜視図である。
【図１５】絶縁フィルムの第２実施形態の展開図である。
【図１６】絶縁体の第１実施形態に絶縁フィルムの第２実施形態が保持されている状態を示す図である。
【図１７】絶縁体の第１実施形態の変更例に絶縁フィルムの第２実施形態が保持されている状態を示す図である。
【図１８】絶縁フィルムの第３実施形態の斜視図である。
【図１９】絶縁フィルムの第３実施形態の展開図である。
【図２０】絶縁体の第１実施形態に絶縁フィルムの第３実施形態が保持されている状態を示す図である。
【図２１】本発明の固定子の第２実施形態の斜視図である。
【図２２】固定子の第２実施形態を構成する固定子コアの概略構成を示す図である。
【図２３】本発明の絶縁体の第２実施形態の斜視図である。
【発明を実施するための形態】
【００１０】
以下に、本発明の実施形態を、図面を参照して説明する。
本明細書では、「軸方向」という記載は、回転子が固定子に対して相対的に回転可能に配置されている状態において、回転子の回転中心を通る回転中心線Ｐ（図１、図２１参照）の方向を示す。「周方向」という記載は、回転子が固定子に対して相対的に回転可能に配置されている状態において、軸方向に直角な断面で見て、回転中心線Ｐを中心とする円周方向を示す。「径方向」という記載は、回転子が固定子に対して相対的に回転可能に配置されている状態において、軸方向に直角な断面で見て、回転中心線Ｐを通る方向を示す。「径方向内周側」という記載は、径方向に沿って回転中心線Ｐ側を示し、「径方向外周側」という記載は、径方向に沿って回転中心線Ｐと反対側を示す。
なお、絶縁体に対しては、「軸方向」、「周方向」および「径方向」という記載は、絶縁体が固定子コアに装着されている状態における「軸方向」、「周方向」および「径方向」を示す。
また、本明細書では、「平行」、「直角」、「平坦」という記載は、それぞれ、「略平行」、「略直角」、「略平坦」を含むものとして用いられている。
また、本明細書では、便宜的に、図４において上側および下側を、それぞれ「軸方向一方側」および「軸方向他方側」として説明し、図４において右側および左側を、それぞれ「周方向一方側」および「周方向他方側」として説明するが、「一方」および「他方」は、これに限定されず、適宜の方向を選択することができる。
【００１１】
図１に、本発明の電動機を構成する固定子の第１実施形態１００が示されている。なお、図１は、第１実施形態の固定子１００の斜視図である。
本実施形態の固定子１００は、固定子コア１１０、絶縁体２００、固定子巻線（図示省略）、絶縁フィルム３１０により構成されている。
【００１２】
固定子コア１１０は、軸方向両側にコア端面１１０Ａおよび１１０Ｂを有している。
また、固定子コア１１０は、分割構造の固定子コアとして構成されている。本実施形態では、固定子コア１１０は、図２に示されているように、第１コア部材１２０と第２コア部材１３０により構成されている。なお、図２には、第１コア部材１２０と第２コア部材１３０を軸方向に直角な方向から見た図が示されている。
第１コア部材１２０（「インナーコア」と呼ばれている）は、複数の電磁鋼板を、カシメ用突起１２６を用いて積層した積層体により構成される。第１コア部材１２０は、径方向に沿って延在するとともに、周方向に沿って離間して配置されている複数のティース１２１を有している。ティース１２１は、径方向に沿って延在するティース基部１２２と、ティース基部１２２の径方向内周側に設けられ、周方向に沿って延在するティース先端部１２３を有している。周方向に隣接するティース１２１のティース先端部１２３は、連結部１２５によって連結されている。
第２コア部材１３０（「アウターコア」と呼ばれている）は、複数の電磁鋼板を、カシメ用突起１３６を用いて積層した積層体により構成される。第２コア部材１３０は、周方向に沿って延在するヨーク１３１を有している。ヨーク１３１は、ヨーク外周面１３２とヨーク内周面１３３を有している。そして、ヨーク内周面１３３から径方向外周側に窪んでいる凹部形成面１３４ａを有している。凹部形成面１３４ａにより、第１コア部材１２０のティース１２１（詳しくは、ティース基部１２２）の径方向外周側の端部が嵌合可能な凹部１３４が形成される。なお、ヨーク内周面１３３は、周方向に隣接する２つの凹部１３４（凹部形成面１３４ａ）の間に形成されているヨーク内周面部分１３３ａと１３３ｂを有している。ヨーク内周面部分１３３ａと１３３ｂは、ヨーク１３１の厚さが、ヨーク内周面部分１３３ａと凹部１３４との接続部およびヨーク内周面部分１３３ｂと凹部１３４との接続部それぞれから両凹部１３４の周方向中央に向って薄くなるように傾斜している。
固定子コア１１０は、第１コア部材１２０のティース基部１２２の、ティース先端部１２３と反対側（径方向外周側）の端部を第２コア部材１３０の凹部１３４に圧入（あるいは、焼き嵌めまたは冷し嵌め）することによって形成される。すなわち、固定子コア１１０は、軸方向に直角な断面で見て、周方向に沿って延在するヨーク１３１と、ヨーク１３１から径方向に沿って径方向内周側に延在する複数のティース１２１を有し、ティース１２１は、ヨーク１３１から径方向に沿って径方向内周側に延在するティース基部１２２と、ティース基部１２２の径方向内周側に設けられ、周方向に沿って延在するティース先端部１２３を有する。
なお、ティース先端部１２３の径方向内周側にはティース先端面１２４が形成されている。ティース先端面１２４によって、回転子（図示省略）が挿入される回転子挿入空間が形成される。
固定子１００と、回転子挿入空間に回転可能に挿入される回転子とによって、本発明の電動機が構成される。
【００１３】
固定子巻線（図示省略）は、ティース１２１に装着される絶縁体の回りに巻き付けられる。すなわち、固定子巻線は、集中巻き方式でティース１２１に巻き付けられている。固定子巻線をティース１２１に巻き付ける方法としては、ティース１２１に絶縁体を装着した状態で、絶縁体の回りに固定子巻線を巻き付ける方法や、絶縁体の回りに固定子巻線を巻き付けた状態で、絶縁体をティース１２１に装着する方法を用いることができる。
【００１４】
ティース１２１に装着される絶縁体の第１の実施形態２００を、図３〜図７を参照して説明する。図３は、第１の実施形態の絶縁体２００の斜視図である。図４は、図３を矢印ＩＶの方向から見た図であり、図５は、図３を矢印Ｖの方向から見た図であり、図６は、図３を矢印ＶＩの方向から見た図であり、図７は、図３をＶＩＩ−ＶＩＩ線から見た図である。
【００１５】
絶縁体２００（「樹脂ボビン」と呼ばれている）は、絶縁特性を有する樹脂、例えば、ポリブチレンテレフタレート（ＰＢＴ）樹脂、ポリフェニレンサルファイド（ＰＰＳ）樹脂、液晶ポリマー（ＬＣＰ）樹脂、ナイロン等により形成される。
絶縁体２００は、第１鍔部２１０、第２鍔部２２０、胴部２３０および貫通孔２４０を有している。
第１鍔部２１０は、軸方向（図４において上下方向）および周方向（図４において左右方向）に沿って延在するとともに、径方向外周側（図４において紙面表側）に外周面２１０Ａ、径方向内周側（図４において紙面裏側）に内周面２１０Ｂ、軸方向一方側（図４において上側）に端面２１１、軸方向他方側（図４において下側）に端面２１２、周方向一方側（図４において右側）に側面２１３、周方向他方側（図４において左側）に側面２１４を有している。
第２鍔部２２０は、第１鍔部２１０より径方向内周側に配置され、軸方向および周方向に沿って延在するとともに、径方向外周側に外周面２２０Ａ、径方向内周側に内周面２２０Ｂ、軸方向一方側に端面２２１、軸方向他方側に端面２２２、周方向一方側に側面２２３、周方向他方側に側面２２４を有している。
胴部２３０は、第１鍔部２１０と第２鍔部２２０との間に設けられ、径方向に沿って延在している。
貫通孔２４０は、胴部２３０の内側に径方向および軸方向に沿って延在するように形成され、第１鍔部２１０の外周面２１０Ａおよび第２鍔部２２０の内周面２２０Ｂに開口している。
【００１６】
第１鍔部２１０の外周面２１０Ａ、内周面２１０Ｂ、端面２１１、端面２１２、側面２１３および側面２１４が、それぞれ本発明の「第１外周面」、「第１内周面」、「第１端面」、「第２端面」、「第１側面」および「第２側面」に対応する。
また、第２鍔部２２０の外周面２２０Ａ、内周面２２０Ｂ、端面２２１、端面２２２、側面２２３および側面２２４が、それぞれ本発明の「第２外周面」、「第２内周面」、「第３端面」、「第４端面」、「第３側面」および「第４側面」に対応する。
【００１７】
貫通孔２４０は、内壁面２４１〜２４４により形成されている。本実施形態では、図８に示されているように、ティース基部１２２の端部を、第２鍔部２２０側から貫通孔２４０内に挿入する場合、ティース基部１２２の外壁面１２２ａ、１２２ｂ、１２２ｃおよび１２２ｄが、それぞれ貫通孔２４０の内壁面２４１、２４２、２４３および２４４に対向するように挿入される。
なお、貫通孔２４０の内壁面２４１、２４２、２４３および２４４は、第２鍔部２２０の内周面２２０Ｂ側に、傾斜面２４１ａ、２４２ａ、２４３ａおよび２４４ａを有する。これにより、ティース基部１２２（ティース１２１）に対する絶縁体２００の軸方向および周方向のずれを防止しながら、ティース基部１２２（ティース１２１）を絶縁体２００の貫通孔２４０内に容易に挿入することができる。
【００１８】
第１鍔部２１０には、外周面２１０Ａから径方向外周側に突出する突部２５０、２６０および２７０が設けられている。本実施形態では、外周面２１０Ａは、周方向および軸方向に沿って延在する平坦面に形成されている。
【００１９】
突部２５０は、貫通孔２４０に対して端面２１２側に設けられている。
突部２５０は、端面２１２側（軸方向他方側）に外壁面２５１を有し、貫通孔２４０側（軸方向一方側）に外壁面２５２を有している。外壁面２５１は、端面２１２側から貫通孔２４０側に向かって、外周面２１０Ａからの距離が長くなる傾斜面に形成されている。突部２５０の外壁面２５１が傾斜していることにより、絶縁体２００の貫通孔２４０に挿入され、貫通孔２４０から（第１鍔部２１０の外周面２１０Ａから）飛び出ているティース基部１２２の端部を、第２コア部材１３０の凹部１３４に圧入する際に、ティース基部１２２の端部が凹部１３４内に容易にガイドされる。
突部２５０が、本発明の「ガイド用突部」に対応し、突部２５０の外壁面２５１が、本発明の「ガイド面」に対応する。
【００２０】
突部２６０は、貫通孔２４０より端面２１１側（軸方向一方側）で、側面２１３側（周方向一方側）の領域に設けられている。
突部２６０は、径方向外周側に形成され、周方向および軸方向に沿って延在する外壁面２６１、軸方向他方側に形成され、周方向に沿って延在する外壁面２６２、周方向一方側（突部２７０と反対側）に形成され、軸方向に沿って延在する外壁面２６４、周方向他方側（突部２７０と対向する側）に形成され、軸方向に沿って延在する外壁面２６３を有している。なお、突部２６０の、軸方向一方側の外壁面は、第１鍔部２１０の端面２１１により（端面２１１と面一に）形成されている。
外壁面２６４は、軸方向一方側から軸方向他方側に向けて、第１外壁面部分２６４ａ、第２外壁面部分２６４ｂ、第３外壁面部分２６４ｃ、第４外壁面部分２６４ｄ、第５外壁面部分２６４ｅを有している。
本実施形態では、第１外壁面部分２６４ａと第５外壁面部分２６４ｅは、軸方向に平行に延在し、第２外壁面部分２６４ｂと第３外壁面部分２６４ｃは、側面２１３上の暗部から軸方向および周方向に対して傾斜状に延在し、第４外壁面部分２６４ｄは、周方向に平行（軸方向に直角）に延在している。第２外壁面部分２６４ｂは、第１外壁面部分２６４ａ側の端部が、第３外壁面部分２６４ｃ側（側面２１３側）の端部より軸方向一方側および周方向他方側に配置されるように傾斜している。第１外壁面部分２６４ａと第２外壁面部分２６４ｂによって、側面２１３および端面２１１から窪んでいる切欠部２６５が形成される。また、第３外壁面部分２６４ｃは、第４外壁面部分２６４ｄ側の端部が、第２外壁面部分２６４ｂ側（側面２１３側）の端部より軸方向他方側および周方向他方側に配置されるように傾斜している。第３外壁面部分２６４ｃ、第４外壁面部分２６４ｄおよび第５外壁面部分２６４ｅによって、後述する凹部２８０の一部を構成する切欠部２６６が形成される。
【００２１】
突部２７０は、貫通孔２４０より端面２１１側（軸方向一方側）で、側面２１４側（周方向他方側）の領域に設けられている。
突部２７０は、径方向外周側に形成され、周方向および軸方向に沿って延在する外壁面２７１、軸方向他方側に形成され、周方向に沿って延在する外壁面２７２、周方向一方側（突部２６０と対向する側）に形成され、軸方向に沿って延在する外壁面２７３、周方向他方側（突部２６０と反対側）に形成され、軸方向に沿って延在する外壁面２７４を有している。なお、突部２７０の、軸方向一方側の外壁面は、第１鍔部２１０の端面２１１により（端面２１１と面一に）形成されている。
外壁面２７４は、軸方向一方側から軸方向他方側に向けて、第１外壁面部分２７４ａ、第２外壁面部分２７４ｂ、第３外壁面部分２７４ｃ、第４外壁面部分２７４ｄ、第５外壁面部分２７４ｅを有している。
本実施形態では、第１外壁面部分２７４ａと第５外壁面部分２７４ｅは、軸方向に平行に延在し、第２外壁面部分２７４ｂと第３外壁面部分２７４ｃは、側面２１４上の端部から軸方向および周方向に対して傾斜状に延在し、第４外壁面部分２７４ｄは、周方向に平行（軸方向に直角）に延在している。第２外壁面部分２７４ｂは、第１外壁面部分２７４ａ側の端部が、第３外壁面部分２７４ｃ側（側面２１４側）の端部より軸方向一方側および周方向一方側に配置されるように傾斜している。第１外壁面部分２７４ａと第２外壁面部分２７４ｂによって、側面２１４および端面２１１から窪んでいる切欠部２７５が形成される。また、第３外壁面部分２７４ｃは、第４外壁面部分２７４ｄ側の端部が、第２外壁面部分２７４ｂ側（側面２１４側）の端部より軸方向他方側および周方向一方側に配置されるように傾斜している。第３外壁面部分２７４ｃ、第４外壁面部分２７４ｄおよび第５外壁面部分２７４ｅによって、後述する凹部２９０の一部を構成する切欠部２７６が形成される。
また、突部２７０の第１外壁面部分２７４ａから周方向他方側に突出している係止突部２７７が設けられている。係止突部２７７は、周方向他方側の端部に、軸方向他方側に突出する突部２７８を有している。
係止突部２７７によって、後述するように、固定子巻線の端部が固定される。また、切欠部２６５と２７５によって、固定子巻線の端部を固定する際の作業空間が確保される。
【００２２】
また、第１鍔部２１０には、外周面２１０Ａから径方向内周側に窪んでいる凹部２８０と凹部２９０が設けられている。
凹部２８０は、貫通孔２４０に対して側面２１３側（周方向一方側）に設けられ、周方向一方側（側面２１３側）および径方向外周側が開口している。凹部２８０は、底面２８１と、底面２８１の軸方向一方側および軸方向他方側に設けられている第１壁面および第２壁面と、底面２８１の周方向他方側に設けられている第３壁面により形成されている。
凹部２８０の底面２８１は、軸方向および周方向に沿って延在している。本実施形態では、底面２８１は、平坦面に形成されている。
凹部２８０の、軸方向一方側の第１壁面は、突部２６０の第３外壁面部分２６４ｃと第４外壁面部分２６４ｄにより形成されている。本実施形態では、第４外壁面部分２６４ｄは、周方向に平行に延在し、第３外壁面部分２６４ｃは、周方向および軸方向に対して傾斜状に延在している。
凹部２８０の、軸方向他方側の第２壁面は、周方向に沿って延在する壁面２８２によって形成されている。本実施形態では、壁面２８２は、周方向に平行に延在している。
凹部２８０の周方向他方側の第３壁面は、軸方向に沿って延在する壁面２８３と突部２６０の第５外壁面部分２６４ｅによって形成されている。本実施形態では、壁面２８３と第５外壁面部分２６４ｅは、軸方向に平行に延在している。
凹部２８０は、後述する絶縁フィルムの周方向他方側の部分の周方向および軸方向の位置を規制する。
【００２３】
凹部２９０は、貫通孔２４０に対して側面２１４側（周方向他方側）に設けられ、周方向他方側（側面２１４側）および径方向外周側が開口している。凹部２９０は、底面２９１と、底面２９１の軸方向一方側および軸方向他方側に設けられている第１壁面および第２壁面と、底面２８１の周方向一方側に設けられている第３壁面により形成されている。
凹部２９０の底面２９１は、軸方向および周方向に沿って延在している。本実施形態では、底面２９１は、平坦面に形成されている。
凹部２９０の、軸方向一方側の第１壁面は、突部２７０の第３外壁面部分２７４ｃと第４外壁面部分２７４ｄにより形成されている。本実施形態では、第４外壁面部分２７４ｄは、周方向に平行に延在し、第３外壁面部分２７４ｃは、周方向および軸方向に対して傾斜状に延在している。
凹部２９０の、軸方向他方側の第２壁面は、周方向に沿って延在する壁面２９２によって形成されている。本実施形態では、壁面２９２は、周方向に平行に延在している。
凹部２９０の周方向一方側の第３壁面は、軸方向に沿って延在する壁面２９３と突部２７０の第５外壁面部分２７４ｅによって形成されている。本実施形態では、壁面２９３と第５外壁面部分２７４ｅは、軸方向に平行に延在している。
凹部２９０は、後述する絶縁フィルムの周方向一方側の部分の周方向および軸方向の位置を規制する。
【００２４】
突部２６０が、本発明の「第１突部」に対応し、突部２７０が、本発明の「第２突部」に対応し、凹部２８０が、本発明の「第１位置規制部」あるいは「第１凹部」に対応し、凹部２９０が、本発明の「第２位置規制部」あるいは「第２凹部」に対応する。
突部２６０の第３外壁面部分２６４ｃと第４外壁面部分２６４ｄによって、本発明の「第１位置規制部の第１壁面」あるいは「第１凹部の第１凹部形成面」が構成され、壁面２８２によって、本発明の「第１位置規制部の第２壁面」あるいは「第１凹部の第２凹部形成面」が構成され、壁面２８３と突部２６０の第５外壁面部分２６４ｅによって、本発明の「第１位置規制部の第３壁面」あるいは「第１凹部の第３凹部形成面」が構成される。
突部２６０の第４外壁面部分２６４ｄが、本発明の「第１位置規制部の第１壁面第１部分」あるいは「第１凹部の第１凹部形成面第１部分」に対応し、突部２６０の第３外壁面部分２６４ｃが、本発明の「第１位置規制部の第１壁面第２部分」あるいは「第１凹部の第１凹部形成面第２部分」に対応する。
突部２７０の第３外壁面部分２７４ｃと第４外壁面部分２７４ｄによって、本発明の「第２位置規制部の第４壁面」あるいは「第２凹部の第４凹部形成面」が構成され、壁面２９２によって、本発明の「第２位置規制部の第５壁面」あるいは「第２凹部の第５凹部形成面」が構成され、壁面２９３と突部２７０の第５外壁面部分２７４ｅによって、本発明の「第２位置規制部の第６壁面」あるいは「第２凹部の第６凹部形成面」が構成される。
突部２７０の第４外壁面部分２７４ｄが、本発明の「第２位置規制部の第４壁面第１部分」あるいは「第２凹部の第４凹部形成面第１部分」に対応し、突部２７０の第３外壁面部分２７４ｃが、本発明の「第２位置規制部の第４壁面第２部分」あるいは「第２凹部の第４凹部形成面第２部分」に対応する。
【００２５】
さらに、第１鍔部２１０の、周方向一方側の側面２１３は、軸方向他方側から軸方向一方側に向けて、側面部分２１３ａと２１３ｂを有している。側面部分２１３ｂは、凹部２８０に対応する領域に形成され、側面部分２１３ａの厚さより薄い厚さを有する。
また、第１鍔部２１０の周方向他方側の側面２１４は、軸方向他方側から軸方向一方側に向けて、側面部分２１４ａ、２１４ｂ、２１４ｃおよび２１４ｄを有している。側面部分２１４ｂ、２１４ｃおよび２１４ｄは、凹部２９０に対応する領域に形成され、側面部分２１４ａの厚さより薄い厚さを有している。また、側面部分２１４ｂは、側面部分２１４ａの延在方向と同じ方向に延在し、側面部分２１４ｃと２１４ｅは、側面部分２１４ｂ（２１４ａ）の延在方向に対して傾斜状に延在している。本実施形態では、側面部分２１４ｂは、側面部分２１４ｃ側の端部が、側面部分２１４ａ側の端部より軸方向一方側および周方向一方側に配置されるように傾斜している。また、側面部分２１４ｄは、側面部分２１４ｃ側の端部が、側面部分２１４ｃと反対側の端部より軸方向他方側および周方向一方側に配置されるように傾斜している。側面部分２１４ｃと２１４ｄによって、側面２１４に、周方向一方側に窪んでいる凹部２１５が形成される。側面部分２１４ｂおよび凹部２１５については、後述する。
【００２６】
また、第２鍔部２２０は、軸方向一方側に、内周面２２０Ｂから径方向内周側に突出する突部が設けられている。これにより、第２鍔部２２０の側面２２３は、側面部分２２３ａと、側面部分２２３ａより厚い側面部分２２３ｂを有し、側面２２４は、側面部分２２４ａと、側面部分２２４ａより厚い側面部分２２４ｂを有している。側面部分２２３ａと２２３ｂの間および側面部分２２４ａと２２４ｂの間には、段差面２２５が形成されている。
また、第２鍔部２２０の端面２２１から軸方向一方側に突出している突部２２５が設けられている。突部２２５は、径方向内周側に突出する突部２２６を有している。
【００２７】
次に、第１コア部材１２０と第２コア部材１３０を組み付ける動作を説明する。
先ず、第１コア部材１２０のティース１２１（ティース基部１２２）に絶縁体２００を装着する。本実施形態では、図８に示されているように、ティース１２１のティース基部１２２の端部を、絶縁体２００の貫通孔２４０に、第２鍔部２２０側から挿入する。この時、貫通孔２４０を形成する内壁面２４１〜２４４の、径方向内周側の傾斜面２４１ａ〜２４４ａによって、ティース基部１２２の端部が貫通孔２４０内にガイドされる。ティース基部１２２は、ティース基部１２２の端部が第１鍔部２１０の外周面２１０Ａから飛び出るように挿入される。
そして、第１コア部材１２０のティース１２１に絶縁体２００が装着された状態で、固定子巻線を巻き付ける。本実施形態では、絶縁体２００の第１鍔部２１０、第２鍔部２２０および胴部２３０によって形成される空間に固定子巻線を巻き付けている。
なお、絶縁体２００の装着および固定子巻線６１０の巻き付けに関しては、固定子巻線を絶縁体２００に巻き付けた状態で、第１コア部材１２０のティース１２１に絶縁体２００を装着する方法を用いることもできる。
【００２８】
そして、ティース１２１に絶縁体２００が装着されているとともに、絶縁体２００に固定子巻線が巻き付けられた状態で、第１コア部材１２０と第２コア部材１３０を組み付ける。本実施形態では、絶縁体２００の貫通孔２４０に挿入され、第１鍔部２１０の外周面２１０Ａから飛び出ている、ティース基部１２２の端部を、第２コア部材１３０のヨーク１３１に形成されている凹部１３４に圧入することによって、第１コア部材１２０と第２コア部材１３０を組み付けている。
本実施形態では、絶縁体２００の貫通孔２４０に挿入されたティース基部１２２の端部を、軸方向に沿って移動させながら第２コア部材１３０の凹部１３４に圧入する際、貫通孔２４０より端面２１２側（軸方向他方側）に形成されている突部２５０の外壁面２５１によって、ティース基部１２２の端部が凹部１３４内にガイドされる。これにより、第１コア部材１２０あるいは絶縁体２００と第２コア部材１３０が強い力で接触するのを防止することができ、第１コア部材１２０や第２コア部材１３０が変形し、あるいは、絶縁体２００にクラックが発生するのを防止することができる。
また、ティース基部１２２の端部を第２コア部材１３０の凹部１３４に圧入する方法として、圧入治具を用いて、第１鍔部２１０の外周面２１０Ａから飛び出ているティース基部１２２の、軸方向一方側の壁面１２２ａに、ティース基部１２２の端部を凹部１３４に挿入する方向に移動させる力を加える方法を用いることができる。
この時、圧入治具によって加えられる力によってティース基部１２２の端部が周方向および径方向に膨らむと、圧入作業が困難となる。このため、適切な大きさの圧入治具を用いて、ティース基部１２２の端部の適切な箇所に力を加える必要がある。本実施形態では、第１鍔部２１０に、貫通孔２４０より端面２１１側に、突部２６０の外壁面部分２６３と突部２７０の外壁面部分２７３によって、圧入治具の移動経路が形成されている。これにより、ティース基部１２２の端部の変形を防止しながら、ティース基部１２２の端部を第２コア部材１３０の凹部１３４に圧入することができる。
突部２６０の外壁面部分２６３が、本発明の「第１突部の経路形成面」に対応し、突部２７０の外壁面部分２７３が、本発明の「第２突部の経路形成面」に対応し、突部２６０の外壁面部分２６３と突部２７０の外壁面部分２７３によって、本発明の「圧入治具の移動経路」が形成される。
【００２９】
次に、絶縁体２００に巻き付けられた固定子巻線と固定子コアのヨーク１３１とを絶縁する絶縁フィルムについて説明する。絶縁フィルムは、絶縁体２００とヨーク１３１との間に配置される。絶縁フィルムは、好適には、絶縁特性を有する樹脂、例えば、ポリエチレンテレフタレート樹脂やポリエチレンナフタレート樹脂により形成される。
なお、絶縁フィルムは、絶縁体２００に巻き付けられた固定子巻線とヨーク１３１との間を絶縁することができるように配置されていればよく、絶縁フィルムの全部が絶縁体２００とヨーク１３１との間に配置されていなくてもよい。すなわち、絶縁フィルムの少なくとも一部が、絶縁体２００とヨーク１３１との間に配置されていればよい。
【００３０】
絶縁フィルムの第１実施形態３１０を、図９、図１０を参照して説明する。図９は、絶縁フィルム３１０の斜視図であり、図１０は、絶縁フィルム３１０の展開図である。
なお、図９に示されている、互いに直交するＢ方向、Ａ方向およびＣ方向は、絶縁フィルム３１０が絶縁体２００とヨーク１３１との間に挿入されて保持された状態において、軸方向、周方向、径方向に略平行に延在する。
Ｂ方向、Ａ方向、Ｃ方向が、それぞれ本発明の「第１方向」、「第１方向と交差する第２方向」、「第１方向および第２方向と交差する第３方向」に対応する。
【００３１】
第１実施形態の絶縁フィルム３１０は、図１０に示されている板状の絶縁フィルム３２０を折り曲げることによって形成される。
絶縁フィルム３２０は、Ｂ方向一方側およびＢ方向他方側に形成され、Ａ方向に沿って延在する縁部３２１および縁部３２２と、Ａ方向一方側およびＡ方向他方側に形成され、Ｂ方向に沿って延在する縁部３２３および縁部３２４を有している。
縁部３２３は、Ｂ方向一方側からＢ方向他方側に向って、第１端部分３２３ａ、第１傾斜部分３２３ｂ、中央部分３２３ｃ、第２傾斜部分３２３ｄ、第２端部分３２３ｅを有している。本実施形態では、第１端部分３２３ａ、中央部分３２３ｃおよび第２端部分３２３ｅは、Ｂ方向に平行に延在し、第１傾斜部分３２３ｂおよび第２傾斜部分３２３ｄは、Ａ方向およびＢ方向に対して傾斜状に延在している。第１傾斜部分３２３ｂは、中央部分３２３ｃ側の端部が、第１端部分３２３ａ側の端部よりＡ方向一方側およびＢ方向他方側に配置されるように傾斜している。第２傾斜部分３２３ｄは、中央部分３２３ｃ側の端部が、第２端部分３２３ｅ側の端部よりＡ方向一方側およびＢ方向一方側に配置されるように傾斜している。
縁部３２４は、Ｂ方向一方側からＢ方向他方側に向って、第１端部分３２４ａ、第１傾斜部分３２４ｂ、中央部分３２４ｃ、第２傾斜部分３２４ｄ、第２端部分３２４ｅを有している。本実施形態では、第１端部分３２４ａ、中央部分３２４ｃおよび第２端部分３２４ｅは、Ｂ方向に平行に延在し、第１傾斜部分３２４ｂおよび第２傾斜部分３２４ｄは、Ａ方向およびＢ方向に対して傾斜状に延在している。第１傾斜部分３２４ｂは、中央部分３２４ｃ側の端部が、第１端部分３２４ａ側の端部よりＡ方向一方側およびＢ方向他方側に配置されるように傾斜している。第２傾斜部分３２４ｄは、中央部分３２４ｃ側の端部が、第２端部分３２４ｅ側の端部よりＡ方向一方側およびＢ方向一方側に配置されるように傾斜している。
【００３２】
絶縁フィルム３１０は、図１０に示されている板状の絶縁フィルム３２０を、折り曲げ部Ｌ１〜Ｌ３に沿って折り曲げることによって形成される。
本実施形態では、折り曲げ部Ｌ１は、縁部３２３の中央部分３２３ｃの中央（縁部３２４の中央部分３２４ｃの中央）を通るように設定されている。折り曲げ部Ｌ２は、縁部３２３の第１傾斜部分３２３ｂと中央部分３２３ｃとの接続点（縁部３２４の第１傾斜部分３２４ｂと中央部分３２４ｃとの接続点）を通るように設定されている。折り曲げ部Ｌ３は、縁部３２３の中央部分３２３ｃと第２傾斜部分３２３ｄとの接続点（縁部３２４の中央部分４２４ｃと第２傾斜部分３２４ｄとの接続点）を通るように設定されている。
板状の絶縁フィルム３２０を折り曲げ部Ｌ１〜Ｌ３に沿って折り曲げた絶縁フィルム３１０は、図９に示されているように、第１分割部分３１０Ａ〜第４分割部分３１０Ｄにより形成され、断面がＴ字状を有している。
すなわち、折り曲げ部Ｌ１とＬ２によって分割された第２分割部分３１０Ｂと折り曲げ部Ｌ１とＬ３により分割された第３分割部分３１０Ｃは、折り曲げ部Ｌ１に沿ってＶ字状に折り曲げられる。また、縁部３２１と折り曲げ部Ｌ２によって分割された第１分割部分３１０Ａは、折り曲げ部Ｌ２に沿って、Ｖ字状の開口部と反対側に折り曲げられる。また、縁部３２２と折り曲げ部Ｌ３によって分割された第３分割部分３１０Ｄは、折り曲げ部Ｌ３に沿って、Ｖ字状の開口部と反対側に折り曲げられる。
折り曲げられた絶縁フィルム３１０は、Ａ方向に沿って延在する縁部３１１および３１２、Ｂ方向に沿って延在する縁部３１３および３１４を有している。縁部３１３は、第１端部分３１３ａ、第１傾斜部分３１３ｂ、中央部分３１３ｃ（中央部分第1部分３１３ｃ１、中央部分第２部分３１３ｃ２）、第２傾斜部分３１３ｃおよび第２端部分３１３ｅを有している。縁部３１４は、第１端部分３１４ａ、第１傾斜部分３１４ｂ、中央部分３１４ｃ（中央部分第１部分３１４ｃ１、中央部分第２部分３１４ｃ２）、第２傾斜部分および第２端部分３１４ｅを有している。
【００３３】
絶縁フィルム３１０が、本発明の「巻線絶縁部材」に対応する。
縁部３１１、３１２、３１３および３１４が、それぞれ本発明の「第１縁部」、「第２縁部」、「第３縁部」および「第４縁部」に対応する。また、縁部３１３の第１端部分３１３ａ、第１傾斜部分３１３ｂ、中央部分３１３ｃ、中央部分第１部分３１３ｃ１、中央部分第２部分３１３ｃ２、第２傾斜部分３１３ｄおよび第２端部分３１３ｅが、それぞれ本発明の「第１端部分」、「第１傾斜部分」、「第１中央部分」、「第１中央部分第１部分」、「第１中央部分第２部分」、「第２傾斜部分」および「第２端部分」に対応する。また、縁部３１４の第１端部分３１４ａ、第１傾斜部分３１４ｂ、中央部分３１４ｃ、中央部分第１部分３１４ｃ１、中央部分第２部分３１４ｃ２、第２傾斜部分３１４ｄおよび第２端部分３１４ｅが、それぞれ本発明の「第３端部分」、「第３傾斜部分」、「第２中央部分」、「第２中央部分第１部分」、「第２中央部分第２部分」、「第４傾斜部分」および「第４端部分」に対応する。
折り曲げ部Ｌ２、Ｌ１およびＬ３が、それぞれ本発明の「第１折り曲げ部」、「第２折り曲げ部」および「第３折り曲げ部」に対応する。第１分割部分３１０Ａ〜第４分割部分３１０Ｄが、本発明の「第１分割部分」〜「第４分割部分」に対応する。
【００３４】
本実施形態の絶縁フィル３１０では、Ａ方向一方側の縁部３１３は、中央部分３１３ｃ（３１３ｃ１、３１３ｃ２）がＡ方向一方側に飛び出ている突状に形成され、Ａ方向他方側の縁部３１４は、中央部分３１４ｃ（３１４ｃ１、３１４ｃ２）がＡ方向一方側に窪んでいる凹状に形成されている。
このため、図１１に示されているように、矢印方向に移動している絶縁シート３３０を切断刃３４０で切断して、板状の絶縁フィルム３２０を形成する際に、材料ロスを低減することができる。すなわち、絶縁フィルム３２０の縁部３２３（３２３ａ〜３２３ｅ）および縁部３２４（３２４ａ〜３２４ｅ）の形状に対応する形状の刃３２４（刃部分３２４ａ〜３２４ｆ）を備える切断刃３４０を用いて切断することにより、不要な部分（材料ロス）が低減される。
【００３５】
絶縁フィルム３１０は、図１２に示されているように、第１コア部材１２０と第２コア部材１３０を組み付けた状態で、絶縁体２００とヨーク１３１の間に挿入される。この時、絶縁フィルム３１０は、縁部３１１が周方向一方側に配置され、縁部３１２が周方向他方側に配置されるように挿入される。
本実施形態では、縁部３１１と縁部３１２の間隔が短くなるように絶縁フィルム３１０を弾性変形させた状態で、縁部３１３が、絶縁体２００の第１鍔部２１０の端面２１２側（軸方向他方側）から、すなわち、突部２６０および２７０が設けられていない側から挿入される。この時、絶縁フィルム３１０の、Ｖ字状に折り曲げられた第２分割部分３１０Ｂと第３分割部分３１０Ｃは、スロット内の、異なる相の固定子巻線の間に挿入される。
そして、絶縁フィルム３１０の挿入が完了すると、絶縁フィルム３１０に加えていた力を解除して、絶縁フィルム３１０を弾性復帰させる。これにより、図１２に示されているように、絶縁フィルム３１０の縁部３１１側（Ｂ方向一方側）の第１分割部分３１０Ａが、周方向に隣接する２つの絶縁体２００（詳しくは、周方向に隣接する２つのティース１２１それぞれに装着された２つの絶縁体２００）のうちの、周方向一方側に配置されている絶縁体２００の凹部２９０に配置され、縁部３１２側（Ｂ方向他方側）の第４分割部分３１０Ｄが、周方向に隣接する２つの絶縁体２００のうちの、周方向他方側に配置されている絶縁体２００の凹部２８０に配置される。
この時、絶縁フィルム３１０の周方向一方側への移動は、縁部３１１が、絶縁体２００の凹部２９０を形成する壁面２９３と突部２７０の第５外壁面部分２７４ｅに当接することによって規制される。また、絶縁フィルム３１０の周方向他方側への位置は．縁部３１２が、絶縁体２００の凹部２８０を形成する壁面２８３と突部２６０の第５外壁面部分２６４ｅに当接することによって規制される。また、絶縁フィルム３１０の軸方向一方側への移動は、縁部３１３の第１端部分３１３ａと第１傾斜部分３１３ｂが、絶縁体２００の突部２７０の第４外周面部分２７４ｄと第３外周面部分２７４ｃに当接することによって、あるいは、縁部３１３の第２端部分３１３ｅと第２傾斜部分３１３ｄが、絶縁体２００の突部２６０の第４外周面部分２６４ｄと第３外周面部分２６４ｃに当接することによって規制される。また、絶縁フィルム３１０の軸方向他方側への移動は、縁部３１４の第１端部分３２４ａが、絶縁体２００の凹部２９０を形成する壁面２９２に当接することによって、あるいは、縁部３１４の第２端部分３２４ｅが、凹部２８０を形成する壁面２８２に当接することによって規制される。
絶縁フィルム３１０の周方向一方側への移動は、縁部３１３の第１傾斜部分３１３ｂが突部２７０の第３外壁面部分２７４ｃに当接することによっても規制され、また、絶縁フィルム３１０の周方向他方側への移動は、縁部３１３の第２傾斜部分３１３ｄが突部２６０の第３外壁面部分２６４ｃに当接することによっても規制される。
また、絶縁体２００の側面２１４には、側面部分２１４ｃと２１４ｄによって、貫通孔２４０側（周方向一方側）に窪んでいる凹部２１５が形成されている。これにより、絶縁フィルム３１０の軸方向他方側への移動は、絶縁フィルム３１０の縁部３１４の、折り曲げ部Ｌ１近傍の部分が、絶縁体２００の側面部分２１４ｃに当接することよって規制される。
これにより、挿入作業性を向上させるための第１傾斜部分３１３ｂおよび第２傾斜部分３１３ｄを有する絶縁フィルム３１０の周方向および軸方向の位置を確実に規制することができる。
絶縁体２００の側面部分２１４ｃの配置位置および傾斜角度は、絶縁フィルム３１０の縁部３１４の軸方向に沿った移動を、側面部分２１４ｃによって規制することができるように設定される。
本実施形態の絶縁フィルム３１０は、絶縁体２００に巻き付けられている固定子巻線とヨーク１３１とを絶縁する機能と、スロット内に収容されている、異なる相の固定子巻線間を絶縁する相間絶縁機能を有している。
【００３６】
絶縁フィルムの第２実施形態３５０を、図１４を参照して説明する。
第２実施形態の絶縁フィルム３５０は、図１５に示されている板状の絶縁フィルム３６０を折り曲げることによって形成される。
第２実施形態の絶縁フィルム３５０は、Ａ方向他方側の縁部３５４の形状を除いて、第１実施形態の絶縁フィルム３１０と同じ構成である。
なお、図１４および図１５において、図９および図１０に記載されている各構成部に付されている符号と、２桁目以外が同じ符号が付されている構成部は、同じ構成部を示している。
本実施形態の板状の絶縁フィルム３６０の縁部３６４は、Ｂ方向一方側からＢ方向他方側に向って、第１端部分３６４ａ、第１傾斜部分３６４ｂ、中央部分、３６４ｃ、第２傾斜部分３６４ｄ、第２端部分３６４ｅを有している。本実施形態では、第１端部分３６４ａ、中央部分３６４ｃおよび第２端部分３６４ｅは、Ｂ方向に平行に延在し、第１傾斜部分および第２傾斜部分３６４ｄは、Ａ方向およびＢ方向に対して傾斜状に延在している。第１端部分３６４ｂは、中央部分３６４ｃ側の端部が、第１端部分３６４ａ側の端部よりＡ方向他方側およびＢ方向他方側に配置されるように傾斜している。第２傾斜部分３６４ｄは、中央部分３６４ｃ側の端部が、第２端部分３６４ｅ側の端部よりＡ方向他方側およびＢ方向一方側に配置されるように傾斜している。
そして、第１実施形態の絶縁フィルム３１０と同様に、折り曲げ部Ｌ１〜Ｌ３に沿って第１分割部分３５０Ａ〜第４分割部分３５０Ｄが折り曲げられることによって、断面がＴ字状を有する絶縁フィルム３５０が形成される。
本実施形態の絶縁フィル３５０では、Ａ方向一方側の縁部３５３は、中央部分３５３ｃ（中央部分第１部分３５３ｃ１、中央部分第２部分３５３ｃ２）がＡ方向一方側に飛び出ている突状に形成され、Ａ方向他方側の縁部３５４は、中央部分３５４ｃ（中央部分第１部分３５４ｃ１、中央部分第２部分３５４ｃ２）がＡ方向他方側に飛び出ている突状に形成されている。
本実施形態の絶縁フィルム３５０は、縁部３５３側から挿入することもできるし、縁部３５４側から挿入することもできる。これにより、絶縁フィルム３５０の挿入作業性をより向上させることができる。
【００３７】
第２実施形態の絶縁フィルム３５０を絶縁体２００とヨーク１３１との間に配置した状態が図１６に示されている。
図１６の破線は、絶縁フィルム３５０の縁部３５０の折り曲げ部Ｌ３の近傍の部分が、絶縁体２００の側面２１４の側面部分２１４ｃに当接することによって、絶縁フィルム３５０の軸方向他方側への移動が規制される状態を示している。
また、図１６の一点鎖線は、絶縁フィルム３５０の縁部３５０の折り曲げ部Ｌ３の近傍の部分が、絶縁体２００の凹部２９０を形成する壁面２９２の、側面２１４側の端部に当接することによって、絶縁フィルム３５０の軸方向他方側への移動が規制される状態が示されている。
【００３８】
図１７に、第１実施形態の絶縁体２００を、第２実施形態の絶縁フィルム３５０用に変更した変更例が示されている。図１７に示されている絶縁体２００の変更例では、凹部２８０を形成する壁面２８２および凹部２９０を形成する壁面２９２の形状が異なっている。
変更例では、凹部２８０を形成する壁面２８２は、周方向に沿って延在する壁面部分２８２ａと、壁面部分２８２ａより周方向一方側に配置され、周方向および軸方向に対して傾斜状に延在する壁面部分２８２ｂを有している。図１７では、壁面部分２８２ａは、周方向に平行に延在している。また、壁面部分２８２ｂは、壁面部分２８２ａと反対側の端部が、壁面部分２８２ａ側の端部より周方向一方側および軸方向他方側に配置されるように傾斜している。
凹部２９０を形成する壁面２９２は、周方向に沿って延在する壁面部分２９２ａと、壁面部分２９２ａより周方向他方側に配置され、周方向および軸方向に対して傾斜状に延在する壁面部分２９２ｂを有している。図１７では、壁面部分２９２ａは、周方向に平行に延在している。また、壁面部分２９２ｂは、壁面部分２９２ａと反対側の端部が、壁面部分２９２ａ側の端部より周方向他方側および軸方向他方側に配置されるように傾斜している。
本変更例では、絶縁フィルム３５０の軸方向一方側への移動は、絶縁フィルム３５０の縁部３５３の第１端部分３５３ａと第１傾斜部分３５３ｂが、絶縁体２２０の突部２７０の第４外壁面部分２７４ｄと第３外壁面部分２７４ｃに当接することによって、あるいは、縁部３５３の第２端部分３５３ｅと第２傾斜部分３５３ｄが、突部２６０の第４外壁面部分２６４ｄと第３外壁面部分２６４ｃに当接することによって規制される。また、絶縁フィルム３５０の軸方向他方側への移動は、絶縁フィルム３５０の縁部３５４の第１端部分３５４ａと第１傾斜部分３５４ｂが、絶縁体２２０の凹部２９０を形成する壁面２９２の壁面部分２９２ａと壁面部分２９２ｂに当接することによって、あるいは、縁部３５４の第２端部分３５４ｅと第２傾斜部分３５４ｄが、凹部２８０を形成する壁面２８２の壁面部分２８２ａと壁面部分２８２ｂに当接することによって規制される。
これにより、挿入作業性をより向上させることができるとともに、保持性をより向上させることができる。
なお、変更例の側面２１４は、図３に示されている、傾斜状に延在する側面部分２４１ｃと２１４ｄが省略され、軸方向に延在する側面部分２１４ａと２１４ｂを有している。
【００３９】
絶縁フィルムの第３実施形態３７０を、図１８を参照して説明する。
第３実施形態の絶縁フィルム３７０は、図１９に示されている板状の絶縁フィルム３８０を折り曲げることによって形成される。
第３実施形態の絶縁フィルム３７０は、Ａ方向他方側の縁部３７４の形状を除いて、第１実施形態の絶縁フィルム３１０と同じ構成である。
なお、図１８および図１９において、縁部３７４と３８４を除いて、図９および図１０に記載されている各構成部に付されている符号と、２桁目以外が同じ符号が付されている構成部は、同じ構成部を示している。
本実施形態の絶縁フィルム３７０では、縁部３７４は、Ｂ方向一方側からＢ方向他方側に向って、第１端部分３７４ａ、中央部分第１部分３７４ｂ、中央部分第２部分３７４ｃ、第２端部分３７４ｄを有している。第１端部分３７４ａ、中央部分第１部分３７４ｂ、中央部分第２部分３７４ｃおよび第２端部分３７４ｄは、図１９に示されている板状の、絶縁フィルム３８０の縁部３８４を、折り曲げ部Ｌ１〜Ｌ３によって分割したものであり、Ｂ方向に平行に延在している。
そして、第１実施形態の絶縁フィルム３１０と同様に、折り曲げ部Ｌ１〜Ｌ３に沿って第１分割部分３７０Ａ〜第４分割部分３７０Ｄが折り曲げられることによって、断面がＴ字状を有する絶縁フィルム３７０が形成される。
本実施形態の絶縁フィル３７０では、Ａ方向一方側の縁部３７３は、中央部分３７３ｃ（中央部分第１部分３７３ｃ１、中央部分第２部分３７３ｃ２）がＡ方向一方側に飛び出ている突状に形成され、Ａ方向他方側の縁部３７４は、Ｂ方向に平行な形状を有している。
【００４０】
第３実施形態の絶縁フィルム３７０を絶縁体２００とヨーク１３１との間に配置した状態が図２０に示されている。
図２０では、樹脂フィルム３７０の軸方向他方側への移動は、樹脂フィルム３７０の縁部３７４の第１縁部分３７４ａが、絶縁体２００の凹部２９０を形成する壁面２９２に当接することによって、あるいは、縁部３７４の第２縁部分３７４ｄが、凹部２８０を形成する壁面２８２に当接することによって規制される。
なお、本実施形態の樹脂フィルム３７０を用いる場合には、絶縁体２００の側面２１４を、図３に示されている、傾斜状に延在する側面部分２４１ｃと２１４ｄを省略し、軸方向に延在する側面部分２１４ａと２１４ｂを有するように変更することもできる。
【００４１】
次に、本発明の電動機を構成する固定子の第２実施形態４００を、図２１を参照して説明する。なお、図２１は、第２実施形態の固定子４００の斜視図である。第１実施形態の固定子１００では、絶縁体２００に、絶縁フィルムの周方向および軸方向の位置を規制する凹部２８０および２９０を設けたが、第２実施形態の固定子４００では、固定子コアのヨークに、絶縁フィルムが軸方向に沿って移動可能な溝を設け、絶縁体に、絶縁フィルムの軸方向に沿った移動を規制する突部を設けている。
本実施形態の固定子４００は、第１実施形態の固定子１００と同様に、固定子コア４１０、絶縁体５００、固定子巻線（図示省略）、絶縁フィルム３１０により構成されている。
【００４２】
固定子コア４１０は、軸方向両側にコア端面４１０Ａおよび４１０Ｂを有している。また、固定子コア４１０は、分割構造の固定子コアとして構成されている。本実施形態では、固定子コア４１０は、図２２に示されているように、ティース４２１を有する第１コア部材４２０と、ヨーク４３１を有する第２コア部材４３０により構成されている。
第１コア部材４２０は、第１実施形態の第１コア部材１２０と同様に、ティース基部４２２、ティース先端部４２３およびティース先端面４２４を有する複数のティース４２１が、連結部４２５によって連結された状態で周方向に沿って複数設けられている。
第２コア部材４３０は、第１実施形態の第２コア部材４３０と同様に、ヨーク外周面４３２とヨーク内周面４３３を有するヨーク４３１が周方向に沿って延在している。また、第１コア部材４２０のティース基部４２２の先端部が圧入される凹部４３４を形成する凹部形成面４３４ａを有している。また、ヨーク内周面４３３は、周方向に隣接する２つの凹部４３４（凹部形成面４３４ａ）の間に形成されているヨーク内周面部分４３３ａと４３３ｂを有している。ヨーク内周面部分４３３ａおよび４３３ｂは、第１実施形態のヨーク内周面部分１３３ａおよび１３３ｂと同様に傾斜している。
本実施形態では、ヨーク４３１には、ヨーク内周面４３３から径方向外周側に窪んでいる溝形成面が形成されている。溝形成面は、ヨーク内周面部分４３３ａおよび４３３ｂそれぞれから径方向外周側に窪んでいる溝形成面部分４３５ａおよび４３５ｂを有している。溝形成面（溝形成面部分４３５ａ、４３５ｂ）により、ヨーク内周面４３３から径方向外周側に窪んでいるとともに、コア端面４１０Ａおよび４１０Ｂに開口している溝４３５が形成される。溝４３５（溝形成面）は、周方向に隣接する２つの凹部４３４の間（周方向に隣接する２つのティース４２１の間）に形成されている。
なお、溝４３５は、溝形成面部分４３５ａによって形成される領域（周方向他方側の領域）と溝形成面部分４３５ｂによって形成される領域（周方向一方側の領域）を有している。絶縁フィルムの周方向一方側の縁部および周方向他方側の縁部は、同じ溝４３５に配置される。例えば、周方向一方側の縁部は、溝４３５内の、溝形成面部分４３５ｂにより形成される領域に配置され、周方向他方側の縁部は、溝形成面部分４３５ａにより形成される領域に配置される。
【００４３】
ティース４２１に装着される絶縁体の第２実施形態５００を、図２３を参照して説明する。図２３は、第２実施形態の絶縁体５００の斜視図である。
絶縁体５００は、第１実施形態の絶縁体２００と同様に、第１鍔部５１０、第２鍔部５２０、胴部５３０および貫通孔５４０を有している。
本実施形態の絶縁体５００では、第１実施形態の絶縁体２００の凹部２８０および２９０が省略され、代わりに、外周面５１０Ａから径方向外周側に突出する突部５８０および５９０が設けられている。すなわち、突部５６０、５７０、５８０および５９０以外は、第１実施形態の絶縁体２００と同様の構成である。したがって、以下では、突部５６０、５７０、５８０および５９０についてのみ説明する。
本実施形態では、第１鍔部５１０の外周面５１０Ａ、内周面５１０Ｂ、端面５１１、端面５１２、側面５１３および側面５１４が、それぞれ本発明の「第１外周面」、「第１内周面」、「第１端面」、「第２端面」、「第１側面」および「第２側面」に対応する。
また、第２鍔部５２０の外周面５２０Ａ、内周面５２０Ｂ、端面５２１、端面５２２、側面５２３および側面５２４が、それぞれ本発明の「第２外周面」、「第２内周面」、「第３端面」、「第４端面」、「第３側面」および「第４側面」に対応する。
【００４４】
第１鍔部５１０には、外周面５１０Ａから径方向外周側に突出する突部５５０、５６０、５７０、５８０および５９０が設けられている。
突部５６０は、貫通孔５４０より端面５１１側（軸方向一方側）で、側面５１３側（周方向一方側）の領域に設けられている。突部５６０は、第１実施形態の突部２６０と同様に、外壁面５６１〜５６４を有している。また、外壁面５６４は、第１実施形態の外壁面２６４と同様に、第１外壁面部分５６４ａ〜第５外壁面部分５６４ｅを有している。
突部５７０は、貫通孔５４０より端面５１１側（軸方向一方側）で、側面５１４側（周方向他方側）の領域に設けられている。突部５７０は、第１実施形態の突部２７０と同様に、外壁面５７１〜５７４を有している。また、外壁面５７４は、第１実施形態の外壁面２７４と同様に、第１外壁面部分５７４ａ〜第５外壁面部分５７４ｅを有している。
突部５８０は、貫通孔５４０より端面５１２側（軸方向他方側）で、側面５１３側（軸方向一方側）の領域に設けられている。突部５８０は、突部５６０と対向する側に、周方向に沿って延在する外壁面５８０ａを有している。本実施形態では、外壁面５８０ａは、周方向に平行に延在している。
突部５９０は、貫通孔５４０より端面５１２側（軸方向他方側）で、側面５１４側（軸方向他方側）の領域に設けられている。突部５９０は、突部５７０と対向する側に、周方向に沿って延在する外壁面５９０ａを有している。本実施形態では、外壁面５９０ａは、周方向に平行に延在している。
【００４５】
突部５６０、５７０、５８０および５９０が、それぞれ本発明の「第１突部」、「第２突部」、「第３突部」および「第４突部」に対応する。突部５６０と突部５８０によって、本発明の「第１位置規制部」が構成され、突部５７０と突部５９０によって、本発明の「第２位置規制部」が構成されている。
突部５６０の第３外壁面部分５６４ｃと第４外壁面部分５６４ｄによって、本発明の「第１位置規制部の第１壁面」あるいは「第１突部の第１突部形成面」が構成され、突部５８０の外壁面５８０ａによって、本発明の「第１位置規制部の第２壁面」あるいは「第３突部の第２突部形成面」が構成され、突部５６０の第５外壁面部分５６４ｅによって、本発明の「第１位置規制部の第３壁面」あるいは「第１突部の第３突部形成面」が構成される。
突部５６０の第４外壁面部分５６４ｄが、本発明の「第１位置規制部の第１壁面第１部分」あるいは「第１突部の第１突部形成面第１部分」に対応し、突部５６０の第３外壁面部分５６４ｃが、本発明の「第１位置規制部の第１壁面第２部分」あるいは「第１突部の第１突部形成面第２部分」に対応する。
突部５７０の第３外壁面部分５７４ｃと第４外壁面部分５７４ｄによって、本発明の「第２位置規制部の第４壁面」あるいは「第２突部の第４突部形成面」が構成され、突部５９０の外壁面５９０ａによって、本発明の「第２位置規制部の第５壁面」あるいは「第４突部の第５突部形成面」が構成され、突部５７０の第５外壁面部分５７４ｅによって、本発明の「第２位置規制部の第６壁面」あるいは「第２突部の第６突部形成面」が構成される。
突部５７０の第４外壁面部分５７４ｄが、本発明の「第２位置規制部の第４壁面第１部分」あるいは「第２突部の第４突部形成面第１部分」に対応し、突部５７０の第３外壁面部分５７４ｃが、本発明の「第２位置規制部の第４壁面第２部分」あるいは「第２突部の第４突部形成面第２部分」に対応する。
【００４６】
第１コア部材４２０と第２コア部材４３０を組み付ける動作は、第１実施形態の固定子１００における第１コア部材１２０と第２コア部材１３０を組み付ける動作と同様である。すなわち、第１コア部材４２０のティース基部４２２の端部を絶縁体５００の貫通孔５４０に挿入し、絶縁体５００の第１鍔部５１０の外周面５１０Ａから飛び出ているティース基部４２２の端部を、第２コア部材４３０のヨーク４３１に形成されている凹部４３４に圧入する。
この時、第１コア部材４２０のティース４２１に装着された絶縁体５００の突部５６０の第３外周面部分５６４ｃおよび第４外周面部分５６４ｄと突部５８０の外壁面５８０ａが、絶縁体５００とヨーク４３１との間に挿入される絶縁フィルムの周方向他方側の部分が配置される領域、例えば、溝４３５の、溝形成面部分４３５ａにより形成される領域に対向する位置に配置され、突部５７０の第３外周面部分５７４ｃおよび第４外周面部分５７４ｄと突部４９０の外壁面４９０ａが、絶縁フィルムの周方向一方側の部分が配置される領域、例えば、溝４３５の、溝形成面部分４３５ｂにより形成される領域に対応する位置に配置されるように構成されている。すなわち、軸方向両側のコア端面に開口している溝４３５に配置された絶縁部材の、周方向一方側の縁部および周方向他方側の縁部の軸方向の移動を規制可能に構成される。
本実施形態では、前記した絶縁フィルム３１０、３５０、３７０を用いることができる。
【００４７】
本発明は、実施形態で説明した構成に限定されず、種々の変更、追加、削除が可能である。
実施形態では、断面がＴ字状を有するように折り曲げられた絶縁フィルム、折り曲げられていない板状の絶縁フィルムについて説明したが、絶縁フィルムの形状はこれに限定されない。
絶縁フィルムは、第１方向（軸方向）に沿った少なくとも一方側の縁部が、第１方向（軸方向）と交差する第２方向（周方向）に沿って延在する第１端部分と第２端部分、第１方向および第２方向に対して傾斜状に延在する第１傾斜部分と第２傾斜部分を有していればよい。
実施形態では、絶縁フィルムを、絶縁体と固定子コアのヨークの間に配置したが、絶縁フィルの配置位置はこれに限定されない。
絶縁フィルムを、絶縁体（樹脂ボビン）がティースに装着された固定子に用いた場合について説明したが、本発明の絶縁フィルムは、これ以外の種々の構造の固定子、例えば、固定子コアの軸方向両側に絶縁体（樹脂ボビン）が配置された固定子に用いることができる。
各実施形態で説明した各構成は、単独で用いることもできるし、適宜選択した複数の構成を組み合わせて用いることもできる。
本発明の電動機は、空調機駆動用電動機、車両駆動用電動機、車載機器駆動用電動機等の種々の機器を駆動する電動機として用いることができる。
【符号の説明】
【００４８】
１００、４００  固定子
１１０、４１０  固定子コア
１１０Ａ、１１０Ｂ、４１０Ａ、４１０Ｂ  固定子コア端面
１２０、４２０  第１コア部材
１２１、４２１  ティース
１２２、４２２  ティース基部
１２３、４２３  ティース先端部
１２４、４２４  ティース先端面
１２５、４２５  連結部
１２６、４２６  カシメ用突起
１３０、４３０  第２コア部材
１３１、４３１  ヨーク
１３２、４３２  ヨーク外周面
１３３、４３３  ヨーク内周面
１３３ａ、１３３ｂ、４３３ａ、４３３ｂ  ヨーク内周面部分
１３４、４３４  凹部
１３４ａ、４３４ａ  凹部形成面
１３６、４３６  カシメ用突起
２００、５００  絶縁体
２１０、５１０  第１鍔部
２１０Ａ、５１０Ａ  外周面（第１外周面）
２１０Ｂ、５１０Ｂ  内周面（第１内周面）
２１１、５１１  端面（第１端面）
２１２、５１２  端面（第２端面）
２１３、５１３  側面（第１側面）
２１３ａ、２１３ｂ  側面部分
２１４、５１４  側面（第２側面）
２１４ａ、２４１ｂ、２１４ｃ、２１４ｄ、５１４ａ、５１４ｂ、５１４ｃ  側面部分
２２０、５２０  第２鍔部
２２０Ａ、５２０Ａ  外周面（第２外周面）
２２０Ｂ、５２０Ｂ  内周面（第２内周面）
２２１、５２１  端面（第３端面）
２２２、５２２  端面（第４端面）
２２３、５２３  側面（第３側面）
２２４、５２４  側面（第４側面）
２２４ａ、２２４ｂ、５２４ａ、５２４ｂ  側面部分
２２５、５２５  段差面
２３０、５３０  胴部
２４０、５４０  貫通孔
２４１、２４２、２４３、２４４、５４１、５４２、５４３、５４４  内壁面
２４１ａ、２４２ａ、２４３ａ、２４４ａ、５４１ａ、５４２ａ、５４３ａ、５４４ａ  傾斜面
２５０、５５０  突部（ガイド用突部）
２５１、５５１  外壁面（ガイド面）
２５２、５５２  内壁面
２６０、５６０  突部（第１突部）
２６１、２６２、２６３、２６４、５６１、５６２、５６３、５６４  外壁面
２６４ａ、２６４ｂ、２６４ｃ、２６４ｄ、２６４ｅ、５６４ａ、５６４ｂ、５６４ｃ、５６４ｄ、５６４ｅ  外壁面部分
２６５、２６６、５６５、５６６  切欠部
２７０、５７０  突部（第２突部）
２７１、２７２、２７３、２７４、５７１、５７２、５７３、５７４  外壁面
２７４ａ、２７４ｂ、２７４ｃ、２７４ｄ、２７４ｅ、５７４ａ、５７４ｂ、５７４ｃ、５７４ｄ、５７４ｅ  外壁面部分
２７５、２７６、５７５、５７６  切欠部
２７７、５７７  係止突部
２７８、５７８  突部
２８０  凹部（第１凹部）
２８１  底面
２８２  壁面（第２壁面）
２８３  壁面（第３壁面）
２９０  凹部（第２凹部）
２９１  底面
２９２  壁面（第５壁面）
２９３  壁面（第６壁面）
３１０、３５０．３７０  絶縁フィルム（巻線絶縁部材）
３１０Ａ、３１０Ｂ、３１０Ｃ、３１０Ｄ、３５０Ａ、３５０Ｂ、３５０Ｃ、３５０Ｄ、３７０Ａ、３７０Ｂ、３７０Ｃ、３７０Ｄ  第１〜第４分割部分
３１１、３５１、３７１  縁部（第１縁部）
３１２、３５２、３７２  縁部（第２縁部）
３１３、３５３、３７３  縁部（第３縁部）
３１４、３５４、３７４  縁部（第４縁部）
３１３ａ、３１３ｂ、３１３ｃ１、３１３ｃ２、３１３ｄ、３１３ｅ、３１４ａ、３１４ｂ、３１４ｃ１、３１４ｃ２、３１４ｄ、３１４ｅ、３５３ａ、３５３ｂ、３５３ｃ１、３５３ｃ２、３５３ｄ、３５３ｅ、３５４ａ、３５４ｂ、３５４ｃ１、３５４ｃ２、３５４ｄ、３５４ｅ、３７３ａ、３７３ｂ、３７３ｃ１、３７３ｃ２、３７３ｄ、３７３ｅ、３７４ａ、３７４ｂ、３７４ｃ、３７４ｄ  縁部分
３２０、３６０、３８０  絶縁フィルム
３２１、３６１、３８１  縁部（第１縁部）
３２２、３６２、３８２  縁部（第２縁部）
３２３、３６３、３８３  縁部（第３縁部）
３２４、３６４、３８４  縁部（第４縁部）
３２３ａ、３２３ｂ、３２３ｃ、３２３ｄ、３２３ｅ、３２４ａ、３２４ｂ、３２４ｃ、３２４ｄ、３２４ｅ、３６３ａ、３６３ｂ、３６３ｃ、３６３ｄ、３６３ｅ、３６４ａ、３６４ｂ、３６４ｃ、３６４ｄ、３６４ｅ、３８３ａ、３８３ｂ、３８３ｃ、３８３ｄ、３８３ｅ  縁部分
４３５  溝
４３５ａ、４５３ｂ  溝形成面
５８０、５９０  突部
５８０ａ、５９０ａ  外壁面
Ｌ１、Ｌ２、Ｌ３  折り曲げ部
【図１】
2019180170.tif 000003
【図２】
2019180170.tif 000004
【図３】
2019180170.tif 000005
【図４】
2019180170.tif 000006
【図５】
2019180170.tif 000007
【図６】
2019180170.tif 000008
【図７】
2019180170.tif 000009
【図８】
2019180170.tif 000010
【図９】
2019180170.tif 000011
【図１０】
2019180170.tif 000012
【図１１】
2019180170.tif 000013
【図１２】
2019180170.tif 000014
【図１３】
2019180170.tif 000015
【図１４】
2019180170.tif 000016
【図１５】
2019180170.tif 000017
【図１６】
2019180170.tif 000018
【図１７】
2019180170.tif 000019
【図１８】
2019180170.tif 000020
【図１９】
2019180170.tif 000021
【図２０】
2019180170.tif 000022
【図２１】
2019180170.tif 000023
【図２２】
2019180170.tif 000024
【図２３】
2019180170.tif 000025